(57)【要約】【課題】  電源投入時の初期化処理中等の入力映像信号以外の映像を表示する場合に、表示画面にメーカロゴ等の固定情報ではなく利用者固有の有意義な情報を提示することのできる映像表示装置を提供しようとするものである。【解決手段】  映像表示装置１００の電源オフ時に次回電源オンされた際に表示すべき予約録画情報一覧、利用者のスケジュール、メモなどのお知らせ情報を通信部１０９並び映像装置２００から取得し、この取得した情報を不揮発性メモリ１１３に記憶しておき、映像装置の電源投入時の起動処理中に不揮発性メモリ１１３に記憶した情報を映像装置２００に表示させる。【選択図】      図２
2006284949.tif 000002
【特許請求の範囲】
【請求項１】
映像表示装置の電源オフ時に次回電源オンされた際に表示すべき利用者情報を取得する手段と、
この取得手段にて取得した情報を記憶する記憶手段と、
映像装置の電源投入時の起動処理中に上記記憶手段に記憶した情報を表示させる表示手段を有することを特徴とする映像表示装置。
【請求項２】
請求項１に記載の映像表示装置において、放送番組の録画予約手段を有し、前記利用者情報取得手段により予約番組の情報を取得し、映像装置の電源投入時の起動処理中に前記表示手段により電源投入時以降の予約番組の一覧表を表示させることを特徴とする映像表示装置。
【請求項３】
請求項１に記載の映像表示装置において、前記ユーザ情報取得手段により利用者のスケジュール情報を取得し、前記表示手段により映像装置の電源投入時の起動処理中に電源投入時以降の利用者のスケジュールを表示させることを特徴とする映像表示装置。
【請求項４】
請求項１に記載の映像表示装置において、前記ユーザ情報取得手段により利用者のメモ情報を取得し、前記表示手段により映像装置の電源投入時の起動処理中に利用者のメモ情報を表示させることを特徴とする映像表示装置。
【請求項５】
請求項１に記載の映像表示装置において、前記ユーザ情報取得手段として利用者のスケジュール、メモを入力、変更、削除するメニューを有することを特徴とする映像表示装置。
【請求項６】
請求項１に記載の映像表示装置において、放送番組の録画手段を有し、前記利用者情報取得手段により録画番組の情報を取得し、映像装置の電源投入時の起動処理中に前記表示手段により最近録画した番組の一覧表を表示させることを特徴とする映像表示装置。
【請求項７】
映像表示装置の利用者に関連する情報を所定の時間毎に取得する利用者情報取得手段と、
この取得手段にて取得した情報を記憶する記憶手段と、
映像装置の電源投入時の起動処理中に上記記憶手段に記憶した情報を表示させる表示手段を有することを特徴とする映像表示装置。
【請求項８】
映像表示装置の電源オフ時に次回電源オンされた際に表示すべき利用者情報を取得する手段と、
この取得手段にて取得した情報を記憶する記憶手段と、
映像装置の電源投入時の起動処理中に上記記憶手段に記憶した情報を表示させる表示手段と、
前記利用者情報取得手段を所定の時間毎に機能させる手段を有することを特徴とする映像表示装置。
【請求項９】
映像表示装置の利用者のスケジュール、メモ、録画予約情報等の利用者情報を取得する手段と、
映像表示装置の電源オフ時に次回電源オンされた際に表示すべき情報の表示用ファイルを作成する手段と、
このファイル作成手段にて作成されたファイルを記憶する記憶手段と、
映像装置の電源投入時の起動処理中に上記記憶手段に記憶したファイルに基づき利用者のスケジュール、メモ、録画予約情報等の利用者情報を表示させる表示手段とを有することを特徴とする映像表示装置。
【請求項１０】
請求項９に記載の映像表示装置において、電源投入時の起動処理中に表示する利用者情報の種類を予め選択する手段を有し、利用者情報取得手段は選択手段により選択された情報を取得することを特徴とする映像表示装置。
【発明の詳細な説明】
【技術分野】
【０００１】
本発明はテレビ番組等の映像を記録し再生する映像表示装置に関するものである。
【背景技術】
【０００２】
テレビ等の映像表示装置においては、電源オン時の初期化処理中の時間、電源オフ時、信号無入力時など入力信号以外の映像画面を表示する場合には、全面青色のブルーバックと呼ばれる画面やメーカロゴの画面を表示されるのが一般的である。
【０００３】
しかしながら、ブルーバック画面やメーカロゴ画面はユーザにおいて特段のメリットが感じられるものではなかった。
このため、特開２００３−２０２８５１号公報（特許文献１）に示される装置では、表示する画像の記憶手段として書き換えが可能な不揮発型の記憶手段を用い、外部から入力された情報に基づいてこの記憶手段に記憶された情報を書き換える書換手段を設けることで、ユーザの希望する画像を表示できるようにしたものが開示されている。
【０００４】
この特許文献１に示される装置によれば、プロジェクター等の表示装置を購入したユーザ、特に商売をしている人達が自分の社名や店名等の名称を、メーカロゴの代わりに表示させることで、会議や顧客との商談において、その会社の宣伝効果が高くなり、ユーザの利用価値を高めることができる。
【０００５】
しかしながら、特許文献１に示される装置においては、宣伝効果を期待していないエンドユーザーにおいては特段のメリットが得られないという問題がある。仮に、エンドユーザーが表示画面の画像を自分の希望する画像に書き換えて利用したとしても、その画像はパターン化されたものであり、ユーザに対して有意義な情報を提供するものではなかった。
【０００６】
本発明は、このような背景に基づきなされたものであり、電源オン時の初期化処理中の時間にユーザに対して有意義な情報を提供する映像記録装置を提供しようとするものである。
【特許文献１】特開２００３−２０２８５１号公報（段落番号００１１−００１４１、図１）
【発明の開示】
【発明が解決しようとする課題】
【０００７】
電源投入時の初期化処理中等の入力映像信号以外の映像を表示する場合に、表示画面にメーカロゴ等の固定情報ではなく利用者固有の有意義な情報を提示することのできる映像表示装置を提供しようとするものである。
【課題を解決するための手段】
【０００８】
本発明は上記課題を解決するために、映像表示装置の電源オフ時に次回電源オンされた際に表示すべき利用者情報を取得する手段と、この取得手段にて取得した情報を記憶する記憶手段と、映像装置の電源投入時の起動処理中に上記記憶手段に記憶した情報を表示させる表示手段を有することを特徴とするものである。
【発明の効果】
【０００９】
以上本発明によれば、電源投入時の起動処理中の時間にユーザに対して有意義な情報を提供することになり、起動処理の完了までの時間を各種情報の確認に活用させることが可能となる。
【発明を実施するための最良の形態】
【００１０】
以下、本発明の実施の形態について図面を参照して説明する。
図１は、映像表示装置としての記録再生装置１００の利用状態の全体構成を示す図である。
記録再生装置１００はテレビ放送の番組録画と再生を行うものであり、記録再生装置１００より出力される映像はテレビ受信機又はモニタなどの映像装置２００に出力されて表示される。
【００１１】
記録再生装置１０１は電源切断開始時に、記録再生装置１０１に予約された情報一覧や、利用者のスケジュール、メモなどのお知らせ情報を取得しておき、次回の電源投入時の起動処理中に図１に示すような予約一覧、スケジュール一覧、メモとして映像装置２００に表示させるものである。
【００１２】
図２は記録再生装置１００の構成を示すブロック図である。
記録再生装置１００には、チューナ１０１が内蔵され、このチューナ１０１には、アンテナ端子１０２に接続される受信アンテナ１０３からの受信信号が供給される。
そして、記録再生装置１００に内蔵のチューナ１０１で受信復調されるアナログテレビジョン信号からも、重畳された電子番組表（Ｅｌｅｃｔｒｉｃ ＰｒｏｇｒａｍＧｕｉｄｅ：以下、ＥＰＧと略称する）のデータが取り出されて、制御ＣＰＵ１０４に供給され電子番組表が形成される。
【００１３】
そして、例えば形成された電子番組表を用いて、記録される所望の番組の放送時間帯と放送チャンネル等が設定され、この設定された内容に応じて記録手段となる録画装置１０５が駆動されると共に、内蔵のチューナ１０１に選局等の制御信号が供給される。
【００１４】
これによって、内蔵のチューナ１０１で、受信復調されたテレビジョン信号の映像信号及び音声信号等が録画装置１０５に記録される。なお、録画装置１０５での記録再生に当っては、周知のＡ／Ｄ、Ｄ／Ａ変換等が行われるが、詳細は省略する。又、この録画装置１０５は大容量記憶装置としてのＨＤＤ１０５ａを内蔵するものであり、長時間の番組録画が可能である。
【００１５】
さらに、録画装置１０５に記録されたテレビジョン信号の映像信号及び音声信号等が、制御ＣＰＵ１０４の制御に従って再生され、混合器１０６を通じて出力端子１０７に取り出される。そして出力端子１０７に取り出された信号は、映像装置２００に供給されて、映像信号の表示及び音声信号の放音等が行われる。
【００１６】
また、制御ＣＰＵ１０４で形成された電子番組表の画像や、その他の操作ガイドの画像が、混合器１０６に供給され、録画装置１０５から再生される映像信号に重畳される。これにより、これらの電子番組表や操作ガイド等の画像は、映像装置２００で受像される映像信号の画面に重畳して表示される。
【００１７】
これらの電子番組表や操作ガイド等の画像を見ながら、あるいは見ずに、リモートコントロール装置５０を用いて、記録再生装置１００の制御が行われる。なお、制御は、リモートコントロール装置５０からの信号がリモートコントロール受信機１０８で受信され、その受信信号が制御ＣＰＵ１０４に供給されて行われる。
【００１８】
さらに、記録再生装置１００を構成する通信部１０９からの接続端子１１０はネットワーク５０を介してパソコン６０と接続され、パソコン６０との間で各種情報の入出力が可能となっている。又、ネットワーク５０に接続されたサーバ７０からの情報が接続端子１１０を介して取得できるようにも構成されている。
【００１９】
記録再生装置１００には、衛星放送用のＢＳ／ＣＳチューナ８１が外部接続可能であり、ＢＳ／ＣＳチューナ８１から出力される映像信号及び音声信号等が入力端子１１１から入力される。又、端子１１２を介して記録再生装置１００とＢＳ／ＣＳチューナ８１とのデータの授受が行われる。具体的にはＢＳ／ＣＳチューナ８１にて受信復調されたデジタルテレビジョン信号から電子番組表（Ｅｌｅｃｔｒｉｃ ＰｒｏｇｒａｍＧｕｉｄｅ：以下、ＥＰＧと略称する）のデータが取り出されて、端子１１２を介して制御ＣＰＵ１０４に供給され電子番組表が形成される。又、ユーザ操作に基づいて制御ＣＰＵ１０４は端子１１２を介してＢＳ／ＣＳチューナ８１に選局制御信号が供給される。
【００２０】
尚、ＢＳ／ＣＳチューナ８１には衛星放送受信用のアンテナ８２に接続され、アンテナ８２からの受信信号が供給される。
制御ＣＰＵ１０４には不揮発性のメモリ１１３が接続されており、このメモリ１１３若しくはＨＤＤ１０５ａに電源投入時の起動処理中に表示すべき情報が記憶されている。
【００２１】
又、制御ＣＰＵ１０４にはプログラムを記憶するメモリ１１４が接続されており、制御ＣＰＵ１０４はメモリ１１４に記憶されたプログラムにより動作する。記録再生装置１００のメニュー等もメモリ１１４に記憶されたプログラムにより構成される。
【００２２】
記録再生装置１００はチューナ１０１並びにＢＳ／ＣＳチューナ８１により受信されて復調されたテレビ番組の録画を行うとともに、ユーザは電子番組表を見ながらリモートコントロール装置５０を用いて録画予約を行うことができる。
【００２３】
このような記録再生装置１００において、ＥＰＧのデータが取得されて制御ＣＰＵ１０４により電子番組表が形成されると、例えば図３に示すような電子番組表３０１の画像が映像装置２００に表示される。
【００２４】
ユーザは映像装置２００に表示された番組表３０１から録画を希望する番組を選択すると、選択した番組の録画予約情報がメモリ１１３に記憶される。例えば、図３の電子番組表３０１から「お昼のワイドニュース」を選択して録画予約した場合には、お昼のワイドニュースの番組タイトルとともに、チャンネル、日付、放送開始時刻、放送終了時刻、録画をＨＤＤ１０５ａとＤＶＤ１０５ｂとの何れとするかの記録先、録画モード、画像のレートなどが録画予約情報としてＨＤＤ１０５ａ並びにメモリ１１３に記憶する。
【００２５】
ユーザが予約リストの表示を選択した場合、制御ＣＰＵ１０４はＨＤＤ１０５ａ若しくはメモリ１１３に記憶された録画予約情報を読み出して、図４に示すような録画予約一覧４０１を形成して、映像装置２００に表示する。
【００２６】
ユーザが予約リストから特定の番組を削除したい場合には、リモートコントロール装置５０を用いて削除する番組を選択し録画予約の削除を行うことができる。例えば図４に示す録画予約一覧４０１において３月１日の５チャンネル、１２：００−１３：００の予約情報４０２を削除したい場合には、リモートコントロール装置５０を用いて予約情報４０２上にカーソルを位置させて削除の操作を行う。
【００２７】
制御ＣＰＵ１０４は図示しないタイマーからの出力を用いて、ＨＤＤ１０５ａ若しくはメモリ１１３に記憶された録画予約情報の該当時間となると、録画予約情報に基づき録画を開始する。
【００２８】
次に、記録再生装置１００によるお知らせ情報の処理を、図５乃至図７のフローチャートに基づき説明する。
図５は記録再生装置１００の起動中の通常時のお知らせ情報の取得動作を示すフローチャートである。
記録再生装置１００は、ＲＯＭ１１４のプログラムにより、利用者のスケジュール、メモなどの情報を入力、変更、削除できるメニューを用意しており、記録再生装置１０２の動作中にリモートコントロール装置５０のリモコンキーなどによりお知らせ情報メニューが選択されると（ＳＴ１０１）、お知らせ情報メニューが表示される（ＳＴ１０２）。
【００２９】
お知らせ情報メニューは図示しないが、利用者のスケジュール、メモなどの情報を入力、変更、削除できるとともに表示設定を行うためのメニューであり、制御ＣＰＵ１０４は表示設定が選択されたかどうか判断する（ＳＴ１０３）。表示設定が選択された場合、ユーザは記録再生装置１００の電源投入時にお知らせ情報表示を行うかを設定し、お知らせ情報表示を行うかの表示モードの設定情報はメモリ１１３に記憶される（ＳＴ１０４）。
【００３０】
続いて制御ＣＰＵ１０４はスケジュールが選択されたかどうか判断する（ＳＴ１０５）。スケジュールが選択された場合、ユーザはリモートコントロール装置５０を操作して利用者のスケジュール情報を入力、変更、削除を行い、スケジュール情報はＨＤＤ１０５ａに記憶される（ＳＴ１０６）。
【００３１】
さらに、制御ＣＰＵ１０４はメモが選択されたかどうか判断する（ＳＴ１０７）。メモが選択された場合、ユーザはリモートコントロール装置５０を操作して利用者のメモ情報を入力、変更、削除を行い、このメモ情報はＨＤＤ１０５ａに記憶される（ＳＴ１０８）。
【００３２】
利用者はスケジュール、メモなどの情報の入力、変更、削除が完了すると、リモートコントロール装置５０の戻るボタン（図示しない）を操作し、制御ＣＰＵ１０４は戻るボタン操作を検出すると（ＳＴ１０９）お知らせ情報の取得動作を終了する。
【００３３】
上記のお知らせ情報の取得動作とは別に、記録再生装置１００は起動中の一定時間毎にお知らせ情報の自動取得を行う。制御ＣＰＵ１０４は記録再生装置１００の起動中（オン時）並びに停止時（オフ時）常に動作してソフトタイマーを動作させている。
【００３４】
制御ＣＰＵ１０４はソフトタイマーにより前回のお知らせ情報の自動取得から所定時間が経過したかを監視し（ＳＴ１１０）、所定時間が経過している場合にはネットワーク経由での利用者情報の取得を行う（ＳＴ１１１）。
【００３５】
ネットワーク経由での利用者情報の取得としては、ネットワーク５０を介して接続された自宅内のパソコン６０と通信部１０９とが通信を行い、パソコン６０に記憶されているスケジュール情報やメモ情報を取得する。さらに、ネットワーク５０に接続された自宅外のサーバ７０と通信部１０９とが通信を行い、サーバ７０に記憶されている録画予約メールや、メモ情報メール、スケジュール情報メール等の情報が接続端子１１０を介して取得できるようにも構成されている。
【００３６】
このため、サーバ７０の自己のメールアドレスに対してユーザは所定のフォーマットでメールを送信しておく。このような情報取得は携帯電話による録画予約メールとして一般に普及しているものであり、これを、録画予約メールのみならず、メモ情報メール、スケジュール情報メールに拡張することで、自宅外からも記録再生装置１００に対して利用者の情報を送り込むことができる。
【００３７】
図６はスケジュール入力例を示す図である。この例では、映像装置２００の上段に表示内容から選択したスケジュール番号に対する、入力、変更、削除を行うことができる。また下段の表示内容の枠内に必要なメモの入力、変更、削除を行うことができる。
【００３８】
入力は、映像装置２００上に表示したキーボードを使用するが、記録再生装置１０２がネットワーク対応である場合には、パソコンなどから入力することや書式を決めた電子メールを使用することも可能である。
【００３９】
次に、記録再生装置１００の電源切断時の動作を説明する。図７は記録再生装置１００の電源切断時の処理を示すフローチャートであり、ユーザがリモートコントロール装置５０により電源オフ釦を操作すると、制御ＣＰＵ１０４は電源切断処理を開始する（ＳＴ２０１）。
【００４０】
制御ＣＰＵ１０４は、予約された番組情報の一覧や、利用者のスケジュール、メモなどをＨＤＤ１０５ａから取得する（ＳＴ２０２）。
続いて、制御ＣＰＵ１０４は、録画予約情報一覧や、利用者のスケジュール、メモなどのお知らせ情報をまとめて、次回の電源投入時に表示できる形式のファイルを作成して、メモリ１１３に記憶する（ＳＴ２０３）。尚、ＨＤＤ１０５ａに保存しても良い。この際のファイルはビットマップのようなイメージ若しくはＨＴＭＬのテキストで作成する。
【００４１】
次回の電源投入時の表示ファイルをメモリ１１３に記憶すると、制御ＣＰＵ１０４は記録再生装置１００の電源切断処理を行う（ＳＴ２０３）。電源切断処理としては記録再生装置１００において消費電力の大きいユニット、例えばＤＶＤユニット１０５ｂやＨＤＤ１０５ａへの電力供給をカットし、制御ＣＰＵ１０４とユーザーインターフェースであるリモートコントロール受信機１０８は低速で稼動するモードへ切り替えるものであり、記録再生装置１００が完全に停止するものではない。
【００４２】
この電源切断中にユーザがリモートコントロール装置５０により電源オン釦を操作すると、リモートコントロール受信機１０８がこの電源オン信号を受信し、制御ＣＰＵ１０４が電源オン信号を検出すると（ＳＴ２０５）、後述する電源入り処理を開始する（ＳＴ２０８）。
【００４３】
又、電源切断中に記録再生装置１００は一定時間毎にお知らせ情報の自動取得を行う。制御ＣＰＵ１０４は記録再生装置１００の停止時（オフ時）常にソフトタイマーにより前回のお知らせ情報の自動取得から所定時間が経過したかを監視し（ＳＴ１１０）、所定時間が経過している場合には（ＳＴ２０６）、ネットワーク経由での利用者情報の取得を行う（ＳＴ２０７）。ネットワーク経由での取得する利用者情報の内容と取得方法は前述のステップ１１１（ＳＴ１１１）と同様である。
【００４４】
次に、前述の電源入り処理の動作を説明する。図８は記録再生装置１００の電源切断時の処理を示すフローチャートであり、電源切断中に制御ＣＰＵ１０４が電源オン信号を検出すると電源入り処理が開始される（ＳＴ３０１）。
【００４５】
電源入り処理としては、電力供給がカットされていたユニットや回路に対して電力供給を再開するとともに、初期化処理などの立ち上げ処理を行うものであり、大容量記憶装置であるＨＤＤ１０５ａにおいては、初期化処理としてＨＤＤのファイルシステムを読み込む作業が必要であり、ＨＤＤの容量増加に伴い比較的長い時間を要する。
【００４６】
このため、記録再生装置１００の電源入りによる初期化処理など立ち上げ処理中、制御ＣＰＵ１０４はメモリ１１３に記憶されている表示用ファイルを読み出して、予約録画情報一覧、利用者のスケジュール、メモなどのお知らせ情報から成る映像を映像装置２００に出力することでお知らせ情報を表示する（ＳＴ３０２）。
【００４７】
従って、記録再生装置１００のユーザはリモートコントロール装置５０により電源オン釦を操作すると、その直後に、お知らせ情報を見て、予約録画情報、利用者のスケジュール、メモなどのお知らせを確認することができる。
【００４８】
お知らせ情報の表示（ＳＴ３０２）と平行して進められている電源入り処理が完了しているかどうかが制御ＣＰＵ１０４により判定され（ＳＴ３０３）、電源入り処理が完了していなければお知らせ情報の表示（ＳＴ３０２）が継続される。又、電源入り処理が完了していた場合には、お知らせ情報の表示を中止する（ＳＴ３０４）。
【００４９】
お知らせ情報の表示の中止／消去は、記録再生装置１００の立ち上げが完了後のみならず、お知らせ情報の表示の一定時間継続後、またはリモコンキー操作によっても行われる。
【００５０】
又、これらのお知らせ情報の表示は透過表示させることで、起動完了後に表示される本来の映像についても見えるようにすることができる。
以上説明した本発明の実施形態では、記録再生装置１００の電源切断開始時に、記録再生装置１００に予約された情報一覧や、利用者のスケジュール、メモなどのお知らせ情報を取得し、取得したお知らせ情報をまとめ、電源入り時に表示できる形式のファイルを作成し記憶させる。且つ、表示情報は所定時間毎に更新させる構成とすることで、電源オンの日時に対応した表示をさせることで意味のある情報の提供を可能としている。
【００５１】
尚、制御ＣＰＵ１０４がメモリ１１３に記憶されている表示用ファイルを読み出して、予約録画情報一覧、利用者のスケジュール、メモなどのお知らせ情報から成る映像を映像装置２００に出力する際に、制御ＣＰＵ１０４がソフトタイマー出力を用いて既に過去情報となっているものをカットして、現在日時以降の情報のみからなるお知らせ情報を表示するようにしても良い。
【００５２】
何れの場合であっても、利用者は記録再生装置の起動時に自己に関係する各種の情報を確認することができ、又、記録再生装置の起動にかかる時間が有効に活用できる。
【図面の簡単な説明】
【００５３】
【図１】映像装置におけるスケジュール機能の全体構成である。
【図２】記録再生装置の構成を示すブロック図。
【図３】番組表の画面例を示す図。
【図４】録画予約一覧の例を示す図。
【図５】お知らせ情報の取得を説明するフローチャート。
【図６】スケジュール入力例を示す図。
【図７】電源切断時の処理を説明するフローチャート。
【図８】電源入り時の処理を説明するフローチャート。
【符号の説明】
【００５４】
１００・・・記録再生装置、２００・・・映像装置
【図１】
2006284949.tif 000003
【図２】
2006284949.tif 000004
【図３】
2006284949.tif 000005
【図４】
2006284949.tif 000006
【図５】
2006284949.tif 000007
【図６】
2006284949.tif 000008
【図７】
2006284949.tif 000009
【図８】
2006284949.tif 000010